(57)【要約】【課題】水道蛇口の出水を有効的に制御し、確実に節水を可能にする。【解決手段】洗面台１１と、水道蛇口１２と、洗面台１１の近傍において使用者の手以外の部分で触れることができる押しバルブ１３とからなり、押しバルブ１３は、出口１３５が蛇口１２と連通し、入り口１３６が水道と連通する本体１３１内に、入り口１３６から出口１３５への流路１３７を有するとともに、流路１３７を開放する押し位置と遮断する遮断位置との２位置間を移動することができるバルブ体１３２が設けられており、バルブ体１３２は、その一端１３２１が流路１３７を横断し、且つ、押し位置及び遮断位置に応じて流路１３７を開閉でき、他端１３２２が本体１３１外に突出し、弾性手段１３４がバルブ体１３２を常時遮断位置に弾性的に保持することができ、押圧手段１３３がバルブ体１３２を押して弾性手段１３４の付勢力に抗しながら押し位置に移動させる構成とする。【選択図】図１
0003104431.tif 000002
【実用新案登録請求の範囲】
【請求項１】
洗面台と、
前記洗面台の上方に取付けてある水道蛇口と、
前記水道蛇口の上流、且つ、前記洗面台の近傍において、使用者の手以外の体のいずれかの部分で触れることができるところに設置されている押しバルブとから構成されたことを特徴とする洗面台装置。
【請求項２】
前記押しバルブは、洗面台の前に立っている使用者が下半身で触れることができるところに設置されていることを特徴とする請求項１に記載の洗面台装置。
【請求項３】
前記押圧式バルブは、洗面台の下に設置されていることを特徴とする請求項１に記載の洗面台装置。
【請求項４】
前記押しバルブは、洗面台の前表面に設置されていることを特徴とする請求項１に記載の洗面台装置。
【請求項５】
前記押圧式バルブは、押しレバーがついているものであることを特徴とする請求項１に記載の洗面台装置。
【請求項６】
出入り口を有し、その出口が蛇口と連通し、入り口が水道と連通する本体内に、前記入り口から前記出口への流路を有するとともに、該流路を開放する押し位置と遮断する遮断位置との２位置の間を移動することができるバルブ体が設けられており、
前記バルブ体は両端を有する棒体で、その一端が前記流路を横断し、且つ、前記押し位置及び前記遮断位置に応じて前記流路を開閉することができるように形成され、他端が前記本体外に突出しており、また、
前記本体内において、
弾性手段が前記バルブ体の一端に付勢していて前記バルブ体を常時前記遮断位置に弾性的に保持することができ、
前記本体外において、
押圧手段が前記バルブ体の他端に当接するように設けられており、押圧されると、前記バルブ体を押して前記弾性手段の付勢力に抗しながら前記押し位置に移動させることができることを特徴とする洗面台装置専用の押しバルブ。
【請求項７】
前記押圧手段は、その一端が前記本体に枢支されていて、他端が押されると前記バルブ体の他端を押すことができる押しレバーであることを特徴とする請求項６に記載の洗面台装置専用の押しバルブ。
【請求項８】
前記押圧手段は、前記バルブ体の他端に付設されている押しボタンであることを特徴とする請求項６に記載の洗面台装置専用の押しバルブ。
【考案の詳細な説明】
【技術分野】
【０００１】
本考案は洗面台装置及びそれ専用の押しバルブに関し、もっと詳しくは、水道蛇口の出水を容易に制御することができる洗面台装置及びそれ専用の押しバルブに関する。
【背景技術】
【０００２】
近年、洗面や手洗いをする時になるべく節水せよとの唱導をするために、多種類の洗面台専用の節水蛇口が開発されている。洗面台専用の節水蛇口の１つとしては、戻しばねがついており、該ばねを押圧することにより、出水を制御することができるものがある。しかしながら、このような節水蛇口においては、前記戻しばねの弾性回復力によって出水の時間が制限されて短くなり、何回も繰り返して押圧する必要があるので、使用上はかなり面倒臭い。
【０００３】
また、他に、赤外線センサのようなセンサがついており、該センサが人の手を検知することにより、出水を制御する自動センサ式の洗面台専用の節水蛇口がある。しかしながら、この自動センサ式の洗面台専用の節水蛇口においては、センサの感度が不良になり、出水の時間を遅延させるうえ、手がセンサの検出可能範囲から離れたとしても、直ちに止水せず水が流れ続けることがしばしばあるので、やはり水を無駄にするという問題がある。
【考案の開示】
【考案が解決しようとする課題】
【０００４】
前記問題に鑑みて、本考案は、水道蛇口の出水を有効的に制御し、確実に節水を可能にする洗面台装置及びそれ専用の押しバルブを提供することを課題とする。
【課題を解決するための手段】
【０００５】
前記課題を解決するために、本考案は、洗面台と、前記洗面台の上方に取付けてある水道蛇口と、前記水道蛇口の上流、且つ、前記洗面台の近傍において、使用者の手以外の体のいずれかの部分で触れることができるところに設置されている押しバルブとから構成されたことを特徴とする洗面台装置を提供する。
【０００６】
また、本考案は、出入り口を有し、その出口が蛇口と連通し、入り口が水道と連通する本体内に、前記入り口から前記出口への流路を有するとともに、該流路を開放する押し位置と遮断する遮断位置との２位置の間を移動することができるバルブ体が設けられており、前記バルブ体は両端を有する棒体で、その一端が前記流路を横断し、且つ、前記押し位置及び前記遮断位置に応じて前記流路を開閉することができるように形成され、他端が前記本体外に突出しており、また、前記本体内において、弾性手段が前記バルブ体の一端に付勢していて前記バルブ体を常時前記遮断位置に弾性的に保持することができ、前記本体外において、押圧手段が前記バルブ体の他端に当接するように設けられており、押圧されると、前記バルブ体を押して前記弾性手段の付勢力に抗しながら前記押し位置に移動させることができることを特徴とする洗面台装置専用の押しバルブを提供する。
【考案の効果】
【０００７】
前記構成によれば、本考案の押しバルブが前記洗面台の近傍において、使用者の手以外の体のいずれかの部分で触れるところに設置されているので、手を使わずに、手以外の体のいずれかの部分で前記押圧手段を触れたまま、前記バルブ体を前記押し位置に維持することができ、水道蛇口から出水しつつあり、また、前記手以外の体のいずれかの部分が前記押圧手段から離れれば、前記弾性手段の弾性回復力によって前記バルブ体を前記遮断位置に戻らせ、止水することができる。このため、本考案は、使用者の手以外の体のいずれかの部分で前記押圧手段を触れることにより、水道蛇口の出水を有効的に制御することができ、確実に節水することができる。
【考案を実施するための最良の形態】
【０００８】
以下、図面を参照しながら、本考案の好ましい実施形態を説明する。
【０００９】
まず、図１乃至図４に示すのは本考案の第１の実施形態である。本実施形態における洗面台装置１は、図１に示すように、洗面台１１と、該洗面台１１の上方に取付けてある水道蛇口１２と、前記水道蛇口１２の上流、且つ、前記洗面台１１の前に立っている使用者が膝近傍の下半身で触れることができるところに設置されている押しバルブ１３とから構成されている。
【００１０】
前記押しバルブ１３は、前記洗面台１１の下に設置されており、且つ、図２に示すように、本体１３１と、バルブ体１３２と、押圧手段１３３と、弾性手段１３４とを備えている。
【００１１】
前記本体１３１は、出入り口１３５，１３６と、前記入り口１３６から前記出口１３５への流路１３７とを有し、その出口１３５が前記水道蛇口１２と連通し、入り口１３６が水道と連通している。
【００１２】
そして、前記バルブ体１３２は前記本体１３１内に設けられている。該バルブ体１３２は、両端１３２１，１３２２を有する棒体で、その一端１３２１が前記流路１３７を横断し、且つ、押し位置及び遮断位置に応じて前記流路１３７を開閉することができる形に形成され、他端１３２２が前記本体１３１外に突出しており、該流路１３７を開放する押し位置（図３参照。）と遮断する遮断位置（図２参照。）との２位置の間を移動することができる。本実施形態において、前記流路１３７を横断する前記バルブ体１３２の前記一端１３２１には、その外径が前記弾性手段１３４の側から徐々に縮小していくテーパ面１３２３が形成され、このテーパ面１３２３により前記流路１３７を開閉することができる。
【００１３】
前記弾性手段１３４は、前記本体１３１内において前記バルブ体１３２の一端１３２１に付勢し、前記バルブ体１３２を常時前記遮断位置に弾性的に保持することができる。本実施形態において、前記弾性手段１３４は圧縮ばねである。
【００１４】
また、前記押圧手段１３３は、前記バルブ体１３２の他端１３２２に当接するように設けられており、押圧されると、図４に示すように、前記バルブ体１３２を押して前記弾性手段１３４の付勢力に抗しながら図３に示す押し位置まで移動させることができる。本実施形態において、前記押圧手段１３３は、その一端１３３１が前記本体１３１に枢支されていて、他端１３３２が押されると前記バルブ体１３２の他端１３２２を押すことができる押しレバーである。
【００１５】
なお、前記本体１３１には通孔１３８が開けてある。図５及び図６に示すように、前記押しレバー１３３の前記一端１３３１には、回動制限手段１３０が設けられている。この回動制限手段１３０は、前記押しレバー１３３の前記一端１３３１が前記押し位置に応じる位置に至る際、押圧によって前記通孔１３８に挿通されるピン１３０１と、前記ピン１３０１に外嵌していて前記ピン１３０１への押圧によって圧縮され前記ピン１３０１を前記通孔１３８内から外へ弾き出す付勢力が生じる弾性部材（図示ではコイルバネ）１３０２とから構成されている。従って、前記押しレバー１３３を前記押し位置に応じる位置まで押してから、指で押圧することによって前記ピン１３０を前記通孔１３８内に挿通させる。そして、前記押しレバー１３３を放すと、前記押しレバー１３３は前記弾性手段１３４の付勢力によって若干復動し、前記ピン１３０を前記通孔１３８の内壁に押圧されて係止することにより、前記押しレバー１３３の更なる復動を阻止することができる。この係止を解除する時には、前記押しレバー１３３を若干揺動すれば済む。前記係止が解除されると、前記ピン１３０は前記弾性部材１３０２の付勢力によって前記通孔１３８内から外へ弾き出されることができる。
【００１６】
図３に示すように、洗面や手洗いをしようとする時には、水道蛇口１２をひねってオン（流出可能）にしてから、使用者の膝で前記押しレバー１３３を押すことにより、前記バルブ体１３２を前記弾性手段１３４の付勢力に抗しながら、前記押し位置に移動させれば良い。このようにして前記流路１３７を開放すると、水が前記水道蛇口１２から出ることができる。
【００１７】
逆に、止水の時には、使用者の膝を前記押しレバー１３３から離して、前記弾性手段１３４への圧縮を解除させ、前記弾性手段１３４の弾性回復力によって前記バルブ体１３２を前記遮断位置に移動させれば良い。このようにして前記流路１３７を遮断すると、水は前記流路１３７を経由して前記水道蛇口１２から出ることができない。この場合、前記流路１３７が既に遮断されたので、前記水道蛇口１２をオフ（流出不可能）にしなくも、水が前記水道蛇口１２から出ることができない。
【００１８】
なお、長時間にわたって洗面台装置を使用する必要がある場合、図５に示すように、前記押しレバー１３３を前記一端１３３１が前記押し位置に応じる位置に至るまで押し、そして、前記ピン１３０１を押して前記通孔１３８内に挿通した後、前記押しレバー１３３を放して前記ピン１３０１を係止すると同時に、前記押しレバー１３３の復動を阻止することで済む。このようにすれば、使用者の膝で使用する時間ずっと前記押しレバー１３３を押す必要がない。また、止水の時には、図６に示すように、前記押しレバー１３３を若干揺動し、前記ピン１３０１を前記通孔１３８から脱出させればよい。
【００１９】
次に、図７及び図８に示すのは、本考案の第２の実施形態である。本実施形態の前記第１の実施形態と異なる点は、押しバルブ１３２ａは、洗面台２の前表面１１０に設置されており、押圧手段１３３ａは、バルブ体１３２ａの他端１３２２ａに付設されている押しボタンであることにある。なお、前記第１の実施形態の構造と同様なものには同一の符号を付してその説明を省略する。
【００２０】
洗面や手洗いをする時には、前記水道蛇口１２をひねってオンにしてから、使用者の下半身（例えば腹）で前記押しボタン１３３ａを押すことにより、前記バルブ体１３２ａを前記弾性手段１３４の付勢力に抗しながら、前記押し位置に移動させる。このようにして前記流路１３７を開放すると、水は前記水道蛇口１２から出ることができる。
【００２１】
逆に、止水の時には、使用者の下半身を前記押しボタン１３３ａから離して、前記弾性手段１３４への圧縮を解除することにより、前記弾性手段１３４の弾性回復力によって前記バルブ体１３２ａを前記遮断位置に移動させる。このようにして前記流路１３７を遮断すると、水は前記流路１３７を経由して前記水道蛇口１２から出ることができない。
【００２２】
このように、本考案の押しバルブは、前記洗面台の近傍において、使用者の手以外の体のいずれかの部分で触れることができるところに設置されているので、手を使わずに、手以外の体のいずれかの部分で前記押圧手段を押したまま、前記バルブ体を前記押し位置に維持することができ、水道蛇口から出水しつつあり、また、前記手以外の体のいずれかの部分が前記押圧手段から離れれば、前記弾性手段の弾性回復力によって前記バルブ体を前記遮断位置に戻らせ、止水することができる。このため、本考案は、使用者の手以外の体のいずれかの部分で前記押圧手段を押すことにより、水道蛇口の出水を有効的に制御することができ、確実に節水することができる。
【００２３】
前記のように、本考案は、水道蛇口の出水を有効的に制御し、確実に節水を可能にする洗面台装置及びそれに専用される押しバルブを提供することができる。
【図面の簡単な説明】
【００２４】
【図１】本考案の第１の実施形態における洗面台装置を示す斜視図
【図２】第１の実施形態における押しバルブのバルブ体が遮断位置にある状態を示す断面図
【図３】第１の実施形態における押しバルブのバルブ体が押し位置にある状態を示す断面図
【図４】第１の実施形態におけるバルブ体と流路の開放程度との関係を示す断面図
【図５】第１の実施形態における回動制限手段が本体の通孔に挿入した状態を示す一部背面図
【図６】第１の実施形態における回動制限手段が本体の通孔から脱出した状態を示す一部背面図
【図７】本考案の第２の実施形態における洗面台装置を示す斜視図
【図８】本考案の第２の実施形態における押しバルブを示す断面図
【符号の説明】
【００２５】
１          洗面台装置
１１        洗面台
１１０      前表面
１２        水道蛇口
１３        押しバルブ
１３０      回動制限手段
１３０１    ピン
１３０２    弾性部材
１３１      本体
１３２      バルブ体
１３２ａ    バルブ体
１３２１    一端
１３２２    他端
１３２２ａ  他端
１３２３    テーパ面
１３３      押圧手段
１３３ａ    押圧手段
１３３１    一端
１３３２    他端
１３４      弾性手段
１３５      出口
１３６      入り口
１３７      流路
１３８      通孔
【図１】
0003104431.tif 000003
【図２】
0003104431.tif 000004
【図３】
0003104431.tif 000005
【図４】
0003104431.tif 000006
【図５】
0003104431.tif 000007
【図６】
0003104431.tif 000008
【図７】
0003104431.tif 000009
【図８】
0003104431.tif 000010